(57)【要約】【課題】クリップガイドをガイドレールのガイド部に簡単に取り付けることができる取付工具を提供する。【解決手段】取付工具は、把持部１０と装着部８と操作ガイド部９とを備える。装着部８は、押圧部１２〜１４を備える。押圧部１３は、クリップガイド６をガイド部５ｂに取り付ける際にクリップガイド６の上面に対向する。押圧部１４は、クリップガイド６の下面に対向する。押圧部１２は、押圧部１３と押圧部１４との間に設けられ、クリップガイド６の側方を向く面に対向する。また、操作ガイド部９は、押圧部１３から突出し、押圧部１２と対向する。【選択図】図１０
2015212193.tif 000002
【特許請求の範囲】
【請求項１】
マンコンベアの移動手摺を案内するガイドレールのガイド部にクリップガイドを取り付けるための取付工具であって、
把持部と、
前記把持部に設けられた装着部と、
前記装着部に設けられた操作ガイド部と、
を備え、
前記装着部は、
前記クリップガイドを前記ガイド部に取り付ける際に前記クリップガイドの上面に対向する第１押圧部と、
前記クリップガイドを前記ガイド部に取り付ける際に前記クリップガイドの下面に対向する第２押圧部と、
前記第１押圧部と前記第２押圧部との間に設けられ、前記クリップガイドを前記ガイド部に取り付ける際に前記クリップガイドの側方を向く面に対向する第３押圧部と、
を備え、
前記操作ガイド部は、前記第１押圧部から突出し、前記第３押圧部と対向する
クリップガイドの取付工具。
【請求項２】
前記ガイドレールの前記ガイド部の上面、端面及び下面を覆うように配置され、一縁部が前記ガイド部の上面側に配置され、他縁部が前記ガイド部の下面側に配置される手摺ガイド部と、
前記手摺ガイド部の一縁部に設けられ、前記手摺ガイド部の他縁部側に突出し、前記手摺ガイド部の他縁部との間に間隙が形成された爪部と、
を備えたクリップガイドを前記ガイド部に取り付けるための取付工具であって、
前記操作ガイド部は、前記クリップガイドを前記ガイド部に取り付ける際に前記爪部に対向する請求項１に記載のクリップガイドの取付工具。
【請求項３】
前記第１押圧部は、前記第３押圧部から突出し、
前記第２押圧部は、前記第１押圧部の突出方向と同じ方向に前記第３押圧部から突出し、
前記第１押圧部の前記第３押圧部からの突出量は、前記第２押圧部の前記第３押圧部からの突出量より大きく、
前記操作ガイド部は、前記第１押圧部の先端部に設けられた
請求項１又は請求項２に記載のクリップガイドの取付工具。
【請求項４】
前記第３押圧部は、前記クリップガイドを前記ガイド部に取り付ける際に上下方向に配置される一側の縁部の表面が、端に近づくに従って前記クリップガイドから離れるように形成され、
前記操作ガイド部は、前記第３押圧部の一側の縁部より他側の縁部に近い位置に配置された
請求項３に記載のクリップガイドの取付工具。
【請求項５】
前記第１押圧部又は前記第２押圧部に設けられ、前記クリップガイドを前記ガイド部に取り付ける際に前記クリップガイドの側方を向く面に対向する押圧ローラと、
を更に備え、
前記押圧ローラは、前記クリップガイドを前記ガイド部に取り付ける際に上下方向に配置される前記第３押圧部の一側の縁部に近接して配置され、
前記操作ガイド部は、前記第３押圧部の一側の縁部より他側の縁部に近い位置に配置された
請求項３に記載のクリップガイドの取付工具。
【発明の詳細な説明】
【技術分野】
【０００１】
この発明は、クリップガイドをガイドレールに取り付けるための工具に関する。
【背景技術】
【０００２】
エスカレータ等のマンコンベアでは、乗客が乗るステップと同期するように移動手摺が駆動される。マンコンベアの移動手摺は、ガイド装置によってその移動（走行）が案内される。ガイド装置には、移動手摺の走行抵抗を低減させるために、ガイドレールにクリップガイドが取り付けられたものがある。特許文献１に、クリップガイドをガイドレールに取り付けるための工具が開示されている。
【先行技術文献】
【特許文献】
【０００３】
【特許文献１】特開２０１１−１１６５１８号公報
【発明の概要】
【発明が解決しようとする課題】
【０００４】
クリップガイドには、ガイドレールのガイド部に単に差し込まれるだけでなく、ガイド部を包み込むように取り付けられるものがある。特許文献１に記載された工具を用いてこのようなクリップガイドの取付を行うことはできない。また、このようなクリップガイドは、樹脂が硬くなる冬場にガイドレールへの取り付けが特に困難になる。クリップガイドをガイド部に嵌め込むために多大な時間と労力とが必要になるといった問題があった。
【０００５】
この発明は、上述のような課題を解決するためになされた。この発明の目的は、クリップガイドをガイドレールのガイド部に簡単に取り付けることができる取付工具を提供することである。
【課題を解決するための手段】
【０００６】
この発明に係るクリップガイドの取付工具は、マンコンベアの移動手摺を案内するガイドレールのガイド部にクリップガイドを取り付けるための取付工具であって、把持部と、把持部に設けられた装着部と、装着部に設けられた操作ガイド部と、を備え、装着部は、クリップガイドをガイド部に取り付ける際にクリップガイドの上面に対向する第１押圧部と、クリップガイドをガイド部に取り付ける際にクリップガイドの下面に対向する第２押圧部と、第１押圧部と第２押圧部との間に設けられ、クリップガイドをガイド部に取り付ける際にクリップガイドの側方を向く面に対向する第３押圧部と、を備え、操作ガイド部は、第１押圧部から突出し、第３押圧部と対向するものである。
【発明の効果】
【０００７】
この発明に係る取付工具を用いることにより、クリップガイドをガイドレールのガイド部に簡単に取り付けることができるようになる。
【図面の簡単な説明】
【０００８】
【図１】エスカレータの要部を示す図である。
【図２】図１のＡ−Ａ断面を示す図である。
【図３】クリップガイドを示す斜視図である。
【図４】この発明の実施の形態１における取付工具を示す正面図である。
【図５】この発明の実施の形態１における取付工具を示す平面図である。
【図６】図４のＢ−Ｂ断面を示す図である。
【図７】図４のＣ部を拡大した図である。
【図８】この発明の実施の形態１における取付工具の使用方法を説明するための図である。
【図９】この発明の実施の形態１における取付工具の使用方法を説明するための図である。
【図１０】この発明の実施の形態１における取付工具の使用方法を説明するための図である。
【図１１】この発明の実施の形態１における取付工具の使用方法を説明するための図である。
【図１２】この発明の実施の形態１における取付工具の他の例を示す正面図である。
【図１３】この発明の実施の形態１における取付工具の他の例を示す正面図である。
【発明を実施するための形態】
【０００９】
添付の図面を参照し、本発明を説明する。重複する説明は、適宜簡略化或いは省略する。各図において、同一の符号は同一の部分又は相当する部分を示す。
【００１０】
実施の形態１．
図１はエスカレータの要部を示す図である。図１は、エスカレータの下部乗降口と下部乗降口から上方に延びる部分とを示している。図２は図１のＡ−Ａ断面を示す図である。先ず、図１から図３を参照し、エスカレータの構成について説明する。
【００１１】
エスカレータの乗客は、ステップ１に乗って上下階床間を移動する。ステップ１に乗降する乗客及びステップ１に乗っている乗客は、安全のために移動手摺２を掴む。移動手摺２は、ステップ１と同期するように駆動される。
【００１２】
ステップ１の側方に、欄干３が設けられる。欄干３は、例えばガラスパネルからなる。欄干３の縁部に、ガイド装置４が設けられる。ガイド装置４は、移動手摺２の移動（走行）を案内するための装置である。移動手摺２は、全体として環状に形成される。移動手摺２は、上部乗降口及び下部乗降口で上下に反転され、欄干３を周回するように移動する。ガイド装置４は、移動手摺２のうち乗客が触れることができる部分の移動を案内する。
【００１３】
図２に示すように、移動手摺２は横断面がＣ字状を呈する。ガイド装置４は、移動手摺２の内側に形成された面（内側表面）に接触して、移動手摺２の移動を案内する。ガイド装置４は、例えば、ガイドレール５、クリップガイド６、支持部材７を備える。
【００１４】
ガイドレール５は、移動手摺２の移動を案内するためのものである。ガイドレール５は、例えば、長尺の板状の部材が折り曲げられることによって形成される。ガイドレール５は、支持部材７を介して欄干３に固定される。ガイドレール５は、欄干３の縁部に沿って配置される。
【００１５】
図２は、ガイドレール５の一例を示す。ガイドレール５は、基部５ａとガイド部５ｂとを備える。基部５ａは、横断面が上方に開口するコ字状を呈する。基部５ａは、下部が支持部材７に固定される。ガイド部５ｂは、基部５ａから両側に突出する。ガイド部５ｂは、例えば、板状の部材がコ字状に折り曲げられた後、その縁部が更に外側に折り曲げられることによって形成される。ガイド部５ｂは、基部５ａの各上端部から外側に向けて平坦に形成される。
【００１６】
クリップガイド６は、移動手摺２に実際に接触する部分である。クリップガイド６は、移動手摺２を保護するため及び摩擦係数を低減させるためにガイドレール５に設けられる。クリップガイド６は、例えば長尺の樹脂部材（ＭＣナイロン等）からなる。クリップガイド６は、ガイドレール５の各ガイド部５ｂに取り付けられる。クリップガイド６は、ガイドレール５の長手に沿って配置される。クリップガイド６は、ガイド部５ｂに適切に取り付けられると、移動手摺２の内側表面に対向し、接触する。
【００１７】
クリップガイド６は、自身の弾性力によってガイド部５ｂを挟み込み、ガイドレール５に固定される。クリップガイド６をガイドレール５に取り付けるためにネジ等の締結部材は使用されない。クリップガイド６がガイドレール５に適切に取り付けられると、クリップガイド６は、ガイド部５ｂを包み込むように配置され、図２に示す断面においてガイド部５ｂに四方（図２では上下左右）から対向する。
【００１８】
図３はクリップガイド６を示す斜視図である。クリップガイド６は、例えば、手摺ガイド部６ａ及び爪部６ｂを備える。
【００１９】
手摺ガイド部６ａは、移動手摺２の内側表面に実際に接触し得る部分である。手摺ガイド部６ａは、例えば、横断面が横向きのＪ字状を呈する。手摺ガイド部６ａは、ガイド部５ｂの上面及び端面の各全体と下面の一部とを覆うように配置される。クリップガイド６がガイドレール５に適切に取り付けられると、手摺ガイド部６ａの一方の縁部（一縁部）がガイド部５ｂの上面側に配置される。また、手摺ガイド部６ａの他方の縁部（他縁部）は、ガイド部５ｂの下面側に配置される。
【００２０】
爪部６ｂは、クリップガイド６がガイドレール５から外れてしまうことを防止するためのものである。爪部６ｂは、手摺ガイド部６ａの一縁部にその長手に沿って設けられる。爪部６ｂは、手摺ガイド部６ａの一縁部から手摺ガイド部６ａの他縁部側に突出する。即ち、クリップガイド６がガイドレール５に適切に取り付けられると、爪部６ｂは、手摺ガイド部６ａの一縁部から下方に突出する。爪部６ｂと手摺ガイド部６ａの他縁部との間に、一定の幅を有する間隙が形成される。クリップガイド６がガイドレール５に適切に取り付けられると、爪部６ｂがガイドレール５の基部５ａの上端に基部５ａの中央部側から対向して接触する。このため、クリップガイド６が外向きに力を受けても、爪部６ｂが基部５ａの上端に引っ掛かり、クリップガイド６がガイドレール５から外れることはない。
【００２１】
次に、クリップガイド６をガイドレール５に取り付けるための工具について説明する。
図４はこの発明の実施の形態１における取付工具を示す正面図である。図５はこの発明の実施の形態１における取付工具を示す平面図である。
【００２２】
上述したように、クリップガイド６をガイドレール５に取り付けるためにネジ等は使用されない。作業員は、クリップガイド６を変形させて、クリップガイド６の内側に形成された空間にガイドレール５のガイド部５ｂを配置する。作業員は、このような取付作業を行う際に図４及び図５に示す取付工具を使用する。
【００２３】
取付工具は、装着部８と操作ガイド部９と把持部１０とを備える。
装着部８は、クリップガイド６をガイドレール５に取り付ける際にクリップガイド６に実際に接触する部分を備える。操作ガイド部９は、クリップガイド６の取付作業が円滑に行われるように、作業者が行う取付工具の操作を案内する機能を有する。把持部１０は、作業員が持つ部分である。
【００２４】
装着部８は、把持部１０に設けられる。図４及び図５に示す例では、装着部８の板状の部分を把持部１０に形成されたスリット１０ａに差し込み、この板状の部分をネジ１１によって把持部１０に固定している。装着部８の把持部１０への固定方法は、これに限定されない。
【００２５】
装着部８は、例えば、鋼製の部材からなる。装着部８は、例えば、押圧部１２〜１４を備える。押圧部１２〜１４は、クリップガイド６をガイドレール５に取り付ける際にクリップガイド６に押し付けられてクリップガイド６を変形させる部分である。
【００２６】
押圧部１２は、クリップガイド６を側方から押し付ける部分である。押圧部１２は、押圧部１３と押圧部１４との間に設けられる。押圧部１２は、例えば、四角形状の板状を呈する部材からなる。図６は、図４のＢ−Ｂ断面を示す図である。押圧部１２は、一側の縁部１２ａの表面が端に近づくに従ってクリップガイド６から離れるように形成される。一側の縁部１２ａは、クリップガイド６をガイドレール５に取り付ける際に上下方向に配置される縁部の一方である。図６は、押圧部１２の一側の縁部１２ａを面取りした場合を一例として示している。
【００２７】
押圧部１３は、クリップガイド６を上方から押し付ける部分である。押圧部１３は、例えば、一部が欠けた四角形状の板状を呈する部材からなる。押圧部１３は、押圧部１２から側方に突出するように押圧部１２の上縁に設けられる。押圧部１３は、例えば、下面が押圧部１２の側面１２ｂと直交するように配置される。
【００２８】
押圧部１４は、クリップガイド６を下方から押し付ける部分である。押圧部１４は、例えば、四角形状の板状を呈する部材からなる。押圧部１４は、押圧部１３の突出方向と同じ方向に押圧部１２から突出するように、押圧部１２の下縁に設けられる。押圧部１４は、例えば、上面が押圧部１２の側面１２ｂと直交するように配置される。また、押圧部１４の上面は、押圧部１３の下面に対向する。
【００２９】
押圧部１３が押圧部１２から突出する量は、押圧部１４が押圧部１２から突出する量より大きい。押圧部１３の押圧部１２からの突出量は、クリップガイド６の手摺ガイド部６ａの湾曲する部分から一縁部までの距離より大きくなるように設定される。押圧部１４の押圧部１２からの突出量は、クリップガイド６の手摺ガイド部６ａの湾曲する部分から他縁部までの距離に合わせて設定される。押圧部１３の先端部１３ａは、押圧部１４の先端部１４ａより押圧部１２から離れた位置に配置される。また、押圧部１４と押圧部１３との間には、一定の幅の間隙が形成される。この間隙の幅（押圧部１４の上面と押圧部１３の下面との距離）は、クリップガイド６の厚みに合わせて設定される。
【００３０】
操作ガイド部９は、押圧部１３の先端部１３ａに設けられる。操作ガイド部９は、押圧部１３から押圧部１４側に突出する。操作ガイド部９は、一部の表面が押圧部１２の側面１２ｂに対向する。また、操作ガイド部９は、押圧部１３の先端部１３ａのうち、押圧部１２の一側の縁部１２ａより他側の縁部１２ｃに近い端部に配置される。他側の縁部１２ｃは、クリップガイド６をガイドレール５に取り付ける際に上下方向に配置される縁部の他方である。
【００３１】
図７は、図４のＣ部を拡大した図である。図７は、操作ガイド部９の一例を示している。操作ガイド部９は、例えば、段付きボルト１５、カラー１６及びナット１７を備える。
【００３２】
押圧部１３の先端部１３ａに、貫通孔１３ｂが形成される。段付きボルト１５は、ネジ部が押圧部１３の下側から貫通孔１３ｂを貫通する。段付きボルト１５のネジ部に、押圧部１３の上方からナット１７が締め付けられる。これにより、段付きボルト１５が押圧部１３に固定される。段付きボルト１５は、押圧部１３の下面から下方に突出するように配置される。
【００３３】
カラー１６は、段付きボルト１５に回転自在に支持される。カラー１６は円筒状を呈し、カラー１６の中空部を段付きボルト１５が貫通する。カラー１６は、押圧部１３の下面と段付きボルト１５のヘッド部との間に配置される。カラー１６は、一部の外周面が押圧部１２の側面１２ｂに対向する。
【００３４】
次に、図８から図１１も参照し、上記構成の取付工具を使用してクリップガイド６をガイドレール５に取り付ける方法について説明する。図８から図１１は、この発明の実施の形態１における取付工具の使用方法を説明するための図である。以下に説明する作業手順は、例えば、エスカレータの据付時、保守時及び改修時等に行われる。
【００３５】
欄干３の縁部に、ガイド装置４のガイドレール５が固定されている。
先ず、図８に示すように、クリップガイド６の爪部６ｂと手摺ガイド部６ａの他縁部との間から、クリップガイド６の内部の空間にガイドレール５のガイド部５ｂを差し込む。この作業は、例えば、作業者が手で行う。これにより、クリップガイド６は、爪部６ｂの先端部がガイド部５ｂの上面に上方から接触する。また、手摺ガイド部６ａの他縁部は、ガイド部５ｂの下面に下方から接触する。クリップガイド６は、図８に示すようにガイド部５ｂに対して斜めに配置される。
【００３６】
次に、図９に示すように、装着部８の内部の空間にクリップガイド６を配置する。この状態では、押圧部１３は、クリップガイド６の手摺ガイド部６ａの上面に上方から対向する。押圧部１３の先端部１３ａは、手摺ガイド部６ａの一縁部に沿うように配置される。押圧部１４は、手摺ガイド部６ａの下面に下方から対向する。押圧部１４の先端部１４ａは、手摺ガイド部６ａの他縁部に沿うように配置される。押圧部１２は、手摺ガイド部６ａの湾曲する部分（側方を向く面）に側方から対向する。操作ガイド部９は、クリップガイド６の爪部６ｂに側方から対向する。
【００３７】
取付工具を図９に示す状態に配置すると、作業者は、取付工具をクリップガイド６側に移動させ、押圧部１２を手摺ガイド部６ａの湾曲する部分に接触させる。そして、作業者は、クリップガイド６の内部の空間にガイド部５ｂが配置されるように取付工具を移動させ、クリップガイド６をガイドレール５に固定する。
【００３８】
具体的には、先ず、取付工具を矢印Ｄの方向に移動させ、取付工具によってクリップガイド６をガイド部５ｂ側に押し込む。次に、押圧部１２をクリップガイド６に押し付けた点を支点にし、把持部１０を上方に持ち上げるように、取付工具を矢印Ｅの方向に変位（回転）させる。すると、てこの原理により、クリップガイド６の手摺ガイド部６ａの一縁部が、押圧部１３によってガイド部５ｂ側に押し付けられる。手摺ガイド部６ａの一縁部がガイド部５ｂ側に押し付けられることにより、爪部６ｂがガイドレール５の基部５ａを乗り越えて、基部５ａの上端に引っ掛かる（図１０参照）。これにより、クリップガイド６がガイドレール５に強固に固定される。
【００３９】
クリップガイド６のある箇所を図１０に示すようにガイド部５ｂに固定すると、次に、その箇所を起点にして、隣接する部分を順次ガイド部５ｂに固定する。
【００４０】
具体的には、クリップガイド６のガイド部５ｂに固定した箇所において、操作ガイド部９をクリップガイド６の爪部６ｂにガイドレール５の中央部側から接触させる。次に、操作ガイド部９を支点にして、これからクリップガイド６の取付を行う方向に把持部１０を傾けるように、取付工具を矢印Ｆの方向に変位（回転）させる（図１１参照）。これにより、押圧部１２がクリップガイド６の側方を向く面に接触する。作業者は、取付工具を上記状態に保持したまま、図１１に示すように取付工具を矢印Ｇ方向にスライド移動させる。これにより、クリップガイド６は、押圧部１２によってガイドレール５の中央部側に力を受け、ガイド部５ｂに順次嵌められていく。この時、クリップガイド６の上方への変位は押圧部１３によって拘束される。また、クリップガイド６の下方への変位は押圧部１４によって拘束される。
【００４１】
上記取付工具を用いることにより、クリップガイド６をガイドレール５のガイド部５ｂに簡単に取り付けることができる。クリップガイド６が硬くなる冬場等でも、作業効率は低下しない。
【００４２】
即ち、クリップガイド６の一箇所をガイド部５ｂに固定した後、その固定した箇所を起点にして取付工具をガイド部５ｂに沿ってスライド移動させれば、クリップガイド６をガイド部５ｂに順次嵌めていくことができる。作業性に優れ、作業時間を短縮することが可能となる。この時、操作ガイド部９は、取付工具の進行方句を前側とすると、先端部１３ａの後側の部分でガイドレール５の中央部側からクリップガイド６の爪部６ｂに接触する。このため、取付工具を図１１に示すＧ方向に移動させれば自然にＦ方向にも力が加わり、押圧部１２の側面１２ｂをクリップガイド６の湾曲する部分に側方から押し付けることができる。てこの原理によってクリップガイド６をガイド部５ｂに順次嵌めていくことが可能となる。
【００４３】
操作ガイド部９の構成は、上記例に限定されない。クリップガイド６は摩擦係数が小さいため、操作ガイド部９にカラー１６のような回転する部材が備えられていなくても良い。かかる構成であっても、取付工具を図１１に示すＧ方向に円滑にスライドさせることができる。
【００４４】
また、押圧部１２の前側に配置される縁部１２ａは、前側の端に近づくに従ってクリップガイド６から離れるように形成されている。このため、取付工具を図１１に示すＧ方向に移動させても縁部１２ａがクリップガイド６に引っ掛かる恐れはない。作業性が悪化したり、クリップガイド６が傷付いたりすることを防止できる。
【００４５】
図１２及び図１３は、この発明の実施の形態１における取付工具の他の例を示す正面図である。図１２に示す取付工具は、図４及び図５に示す取付工具に更に押圧ローラ１８が設けられたものに相当する。また、図１２に示す取付工具は、押圧部１２の一側の縁部１２ａが面取りされていない。
【００４６】
押圧ローラ１８は、押圧部１３の根元部分に設けられる。押圧ローラ１８は、押圧部１３から押圧部１４側に突出する。なお、押圧ローラ１８を押圧部１４の根元部分に設け、押圧部１４から押圧部１３側に突出させても良い。
【００４７】
押圧ローラ１８は、一部の表面が押圧部１２の側面１２ｂに対向する。また、押圧ローラ１８は、他の一部の表面が操作ガイド部９の表面に対向する。押圧ローラ１８は、押圧部１３の根元部分のうち、押圧部１２の一側の縁部１２ａに近い端部に配置される。押圧ローラ１８は、例えば操作ガイド部９と同じ構成を有し、操作ガイド部９と同じ固定方法によって押圧部１３に固定される。
【００４８】
図１２に示す構成の取付工具を使用してクリップガイド６をガイドレール５に取り付ける場合、取付工具を図１０に示す状態に配置すると、押圧ローラ１８はクリップガイド６の手摺ガイド部６ａの湾曲する部分（側方を向く面）に側方から対向する。この状態で図１１に示すように取付工具をＧ方向に移動させると自然にＦ方向にも力が加わり、クリップガイド６は押圧ローラ１８によってガイド部５ｂ側に押し付けられる。取付工具の移動は操作ガイド部９と押圧ローラ１８とによって両側から案内されるため、取付工具を円滑にスライド移動させることができる。
【００４９】
図１３に示す取付工具は、図１２に示す取付工具に更に操作ガイド部１９と押圧ローラ２０とが設けられたものに相当する。
【００５０】
操作ガイド部１９は、操作ガイド部９と同じ構成を有し、操作ガイド部９と同じ固定方法によって押圧部１３に固定される。操作ガイド部１９は、押圧部１３の先端部１３ａに設けられる。操作ガイド部１９は、押圧部１３から押圧部１４側に突出する。操作ガイド部１９は、一部の表面が押圧部１２の側面１２ｂに対向する。また、操作ガイド部１９は、押圧部１３の先端部１３ａのうち、押圧部１２の他側の縁部１２ｃより一側の縁部１２ａに近い端部に配置される。
【００５１】
押圧ローラ２０は、押圧ローラ１８と同じ構成を有し、押圧ローラ１８と同じ固定方法によって押圧部１３に固定される。押圧ローラ２０は、一部の表面が押圧部１２の側面１２ｂに対向する。また、押圧ローラ２０は、他の一部の表面が操作ガイド部１９の表面に対向する。押圧ローラ２０は、押圧部１３の根元部分のうち、押圧部１２の他側の縁部１２ｃに近い端部に配置される。
【００５２】
図１３に示す構成の取付工具を使用してクリップガイド６を図１１に示された右側のガイド部５ｂに取り付ける場合は、クリップガイド６に操作ガイド部９と押圧ローラ１８とを押し付ける。一方、取付工具をＧ方向に移動させてクリップガイド６を図１１に示された左側のガイド部５ｂに取り付ける場合は、クリップガイド６に操作ガイド部１９と押圧ローラ２０とを押し付ける。取付工具の移動方向が限定されず、種々の現場で使用することが可能となる。
【００５３】
本取付工具は、エスカレータだけでなく、他の種類のマンコンベアにおいても使用することができる。例えば、取付工具は、同一階床間の移動の際に利用される動く歩道においても、同様に使用することができる。
【符号の説明】
【００５４】
１  ステップ、  ２  移動手摺、  ３  欄干、  ４  ガイド装置、  ５  ガイドレール、  ５ａ  基部、  ５ｂ  ガイド部、  ６  クリップガイド、  ６ａ  手摺ガイド部、  ６ｂ  爪部、  ７  支持部材、  ８  装着部、  ９  操作ガイド部、  １０  把持部、  １０ａ  スリット、  １１  ネジ、  １２  押圧部、  １２ａ  縁部、  １２ｂ  側面、  １２ｃ  縁部、  １３  押圧部、  １３ａ  先端部、  １３ｂ  貫通孔、  １４  押圧部、  １４ａ  先端部、  １５  段付きボルト、  １６  カラー、  １７  ナット、  １８  押圧ローラ、  １９  操作ガイド部、  ２０  押圧ローラ
【図１】
2015212193.tif 000003
【図２】
2015212193.tif 000004
【図３】
2015212193.tif 000005
【図４】
2015212193.tif 000006
【図５】
2015212193.tif 000007
【図６】
2015212193.tif 000008
【図７】
2015212193.tif 000009
【図８】
2015212193.tif 000010
【図９】
2015212193.tif 000011
【図１０】
2015212193.tif 000012
【図１１】
2015212193.tif 000013
【図１２】
2015212193.tif 000014
【図１３】
2015212193.tif 000015